(57)【特許請求の範囲】
【請求項１】
遊技島に着脱可能に設置される前面枠と、該前面枠の下方に取り付けられる下装飾部材とを備えた遊技機において、
前記下装飾部材は、
前記前面枠の下端部に回動可能に軸着され、
前記前面枠下端に軸着される軸着部と該軸着部とは反対側に位置する端部とが上下方向に位置して、当該遊技機の前面下部を装飾する装飾位置と、
前記軸着部と前記端部とが前後方向に位置して、前記前面枠が前記遊技島に設置されていない場合に該前面枠の自立を補助する自立補助位置と、に変換可能であることを特徴とする遊技機。
【発明の詳細な説明】
【技術分野】
【０００１】
本発明は、遊技島に対して着脱可能な前面枠を備えた遊技機に関する。
【背景技術】
【０００２】
従来の遊技機、例えば、ぱちんこ遊技機においては、工場からの出荷作業時や遊技店内において遊技島に設置する前後の遊技台の入れ替え作業時等、作業の都合上遊技機を自立させて床に置いておく必要が生じた際、遊技機が転倒しないように、遊技機が自立可能な幅の底面を有する矩形状の機枠（外枠）の内側に遊技機本体（前面枠）を収納し、機枠の底面により遊技機本体を支えて自立させていた。
【０００３】
また、遊技機を自立させるための自立補助機構として、遊技機の枠体背面側に対して進退可能なスタンドを取り付け、スタンドの進出時に遊技機を背面方向に傾斜させた状態で保持可能として遊技機の自立を安定させるスタンドを有する遊技機が提案されている（例えば、特許文献１）。
【先行技術文献】
【特許文献】
【０００４】
【特許文献１】特開２００６−１０２０７３号公報
【発明の概要】
【発明が解決しようとする課題】
【０００５】
しかし、遊技機の機枠が遊技島に備え付けで組み付けられているような場合には、遊技機の入れ替えの際には機枠に取り付けられる遊技機本体である前面枠のみが交換されるようになり、従来のように機枠の底面を利用して遊技機を床に自立させておくことはできない。また、先行技術文献に記載されているような自立補助機構（スタンド）を遊技機の枠体背面側に設けた場合、限られた狭いスペースの中に多数の部品や基盤が取り付けられている遊技機において、遊技島に設置された後は使用する機会の無い自立補助機構のスタンドをわざわざ設けることは、スペースの利用に制限が生じるとともに、コスト的にも作業工程数的にも効率的ではない。
【０００６】
そこで、本発明は、上記の事情に鑑みてなされたものであり、その目的は、部品を汎用して前面枠が自立可能となる構成にすることにより、遊技島や機枠に取り付けられていない前面枠の状態における取り扱い性を向上させることができる遊技機を提供しようとするものである。
【課題を解決するための手段】
【０００７】
本発明は、上記目的を達成するために提案されたものであり、請求項１に記載のものは、遊技島に着脱可能に設置される前面枠と、該前面枠の下方に取り付けられる下装飾部材とを備えた遊技機において、前記下装飾部材は、前記前面枠の下端部に回動可能に軸着され、前記前面枠下端に軸着される軸着部と該軸着部とは反対側に位置する端部とが上下方向に位置して、当該遊技機の前面下部を装飾する装飾位置と、前記軸着部と前記端部とが前後方向に位置して、前記前面枠が前記遊技島に設置されていない場合に該前面枠の自立を補助する自立補助位置と、に変換可能であることを特徴とする遊技機である。
【発明の効果】
【００１１】
本発明によれば、遊技機が機枠に設置されていない状態においても自立させておくことが可能となり、持ち運びが容易となる。
【図面の簡単な説明】
【００１５】
【図１】遊技機の正面図である。
【図２】機枠に対して前面枠を外した遊技機の斜視図である。
【図３】ガラス枠を開放して遊技盤を外した遊技機の斜視図である。
【図４】機枠が備え付けられている遊技島の概略図である。
【図５】下装飾部材５０が装飾位置にある場合の前面枠の説明図であり、（ａ）は右側面図、（ｂ）は斜視図である。
【図６】下装飾部材５０が自立補助位置にある場合の前面枠の説明図であり、（ａ）は右側面図、（ｂ）は斜視図である。
【図７】下装飾部材５０が自立補助位置にある場合の前面枠の右側面図である。
【図８】第１実施形態の前面枠の概略図であり、（ａ）は装飾位置の斜視図、（ｂ）はＡ−Ａの断面図、（ｃ）は装飾位置の回動軸周囲の拡大断面図である。
【図９】第１実施形態の前面枠の概略図であり、（ａ）は自立補助位置の斜視図、（ｂ）はＢ−Ｂの断面図、（ｃ）は自立補助位置の回動軸周囲の拡大断面図である。
【図１０】固定手段の自動解除機構を示す右側面図であり、（ａ）は前面枠が閉状態へ変換している状態、（ｂ）は閉状態となった説明図である。
【図１１】第２実施形態の前面枠の概略図であり、（ａ）は装飾位置の斜視図、（ｂ）はＡ−Ａの断面図、（ｃ）はＢ−Ｂの断面図である。
【図１２】第２実施形態の前面枠の概略図であり、（ａ）は自立補助位置の斜視図、（ｂ）はＣ−Ｃの断面図、（ｃ）Ｄ−Ｄの断面図、（ｄ）は自立補助位置にある前面枠下部の右側面図である。
【図１３】第３実施形態の前面枠の概略図であり、（ａ）は装飾位置の斜視図、（ｂ）はＡ−Ａの断面図、（ｃ）は装飾位置の回動軸周囲の拡大断面図である。
【図１４】第３実施形態の前面枠の概略図であり、（ａ）は自立補助位置の斜視図、（ｂ）はＢ−Ｂの断面図、（ｃ）は自立補助位置の回動軸周囲の拡大断面図である。
【図１５】第４実施例の前面枠を後方から見た概略斜視図であり、（ａ）は下装飾部材が装飾位置である場合の図、（ｂ）は自立補助位置である場合の図である。
【図１６】延出部が回動可能に取り付けられた前面枠の説明図であり、（ａ）は延出部が収納されている場合の底面図、（ｂ）は延出部が設置されている場合の底面図である。
【図１７】第５実施形態の前面枠の概略図であり、（ａ）は装飾位置の斜視図、（ｂ）はＡ−Ａの断面図、（ｃ）は装飾位置の回動軸周囲の拡大断面図である。
【図１８】第５実施形態の前面枠の概略図であり、（ａ）は自立補助位置の斜視図、（ｂ）は回動軸周辺の概略断面図である。
【発明を実施するための形態】
【００１６】
以下、代表的な遊技機である遊技機１を例に挙げて本発明の実施形態を図面に基づき説明する。なお、実施形態の説明における前後とは遊技機１から見た方向（遊技者側が前）を指し、左右とは遊技者から見た方向（操作部側が右）を指すものとする。
【００１７】
まず、図１から図３を参照して、第１の実施形態における遊技機１の構成について説明する。
【００１８】
遊技機１の本体である前面枠２は、左側部の上下にヒンジ９を有する前面枠２を備え、右側部が開閉回動自在となるようにヒンジ９を介して島設備（遊技島３０）に固定される機枠３に設置される。
前面枠２は、前面枠本体４及びガラス枠５によって構成される。前面枠本体４には、遊技領域７を有する遊技盤６が配設され、遊技盤６の前面を覆うカバーガラス８を有するガラス枠５が取り付けられる。前面枠本体４及びガラス枠５は、それぞれ個別に開放することが可能となっている。
【００１９】
ガラス枠５のカバーガラス８の周囲には、装飾部材１０が配設されている。装飾部材１０の内部にはランプやＬＥＤ等によって構成される枠装飾装置が収容されており、この枠装飾装置を制御することによって装飾部材１０での発光状態が調整される。
ガラス枠５の上部には照明ユニット１１が配設され、照明ユニット１１の左右両側には可動式照明１２が配設される。照明ユニット１１は、内部にランプやＬＥＤ等の照明部材を収容しており、遊技状態に応じて発光演出を行う。可動式照明１２は、ランプやＬＥＤ等の照明部材と、照明部材を駆動する照明駆動モータ等から構成される枠演出装置とを備える。可動式照明１２の枠演出装置は、遊技状態に応じて照明部材を駆動（例えば回転駆動）する。
【００２０】
遊技機１は、効果音や警報音、報知音等を発する上スピーカー１３及び下スピーカー１４を備える。上スピーカー１３はガラス枠５の上両側部に配置され、下スピーカー１４は上皿ユニット１５を構成する上皿１５ａの下方に配置される。
左側部に配設される可動式照明１２の近傍には、遊技機１における異常を報知するための遊技状態報知ＬＥＤが備えられる。遊技機１において異常が発生した場合には、遊技状態報知ＬＥＤが点灯又は点滅するとともに、上スピーカー１３及び下スピーカー１４から異常を報知するための報知音が出力される。
【００２１】
遊技機１で発生する異常には、遊技機１の故障及び不正行為の実施等が含まれる。不正行為には、発射された遊技球の軌道を磁石によって不正に操作する行為や遊技機１を振動させる行為等がある。これらの不正行為は、磁気センサスイッチによって磁気を検出したり、振動センサスイッチによって振動を検出したりすることで検知される。また、不正に前面枠２を開放する行為も不正行為に含まれる。前面枠本体４の開閉状態は前面枠本体開放検出スイッチ１７によって検出され、ガラス枠５の開閉状態はガラス枠開放検出スイッチ１８によって検出される。
【００２２】
ガラス枠５のカバーガラス８の下方には、上皿１５ａを含む上皿ユニット１５が設置される。上皿１５ａは、前面枠本体４に設けられた球発射装置１９に遊技球を供給する。ガラス枠５の下方位置であって前面枠本体４に固定される固定パネル２０には、下皿１６ａ及び球発射装置１９を駆動するための操作部２１が備えられる。本形態においては、上皿１５ａおよび下皿１６ａにより球貯留皿が構成されている。遊技者が操作部２１を回動操作することによって、球発射装置１９は上皿１５ａから供給された遊技球を遊技盤６の遊技領域７に発射する。下皿１６ａには、下皿１６ａに貯まった遊技球を排出するための球抜き機構２２が設けられる。
【００２３】
上皿ユニット１５には、遊技者からの操作入力を受け付けるための演出ボタン２３（外部操作手段）が上皿１５ａの手前側に配設されている。遊技者が演出ボタン２３を操作することによって、変動表示装置での変動表示ゲームの演出に遊技者の操作を影響させることができ、特別な遊技状態が発生していない通常遊技状態においても演出パターンを変更することができる。
【００２４】
次に、図４を参照して、遊技機１を取り付ける遊技島３０（遊技機設置用島設備）について説明する。
【００２５】
遊技島３０は、複数のフレーム部材を縦横に連結したり表面に化粧板を装着したりして横長な箱状に形成された島本体を備え、該島本体の長手方向の一側面および他側面（島本体の長手方向に沿って延在する２つの側面）には遊技機設置領域３２を区画形成し、該遊技機設置領域３２には、遊技球を使用して遊技を実行可能な遊技機（本発明における遊技機１に相当）と、該遊技機に対となる状態で設けられる台間球貸機とを遊技島３０の長手方向に沿って複数組列設可能となるよう、遊技機を取り付ける機枠３を所定間隔を有して複数設置している。機枠３には、前面枠２を収容可能な矩形の開口部３３が形成され、開口部３３の内側側方にはヒンジ９を介して前面枠２を回動可能に取り付ける前面枠用ヒンジ３４を備えている。また、開口部３３の下部には機枠３の横幅に合わせて横長板状の幕板３５が固定されている。
【００２６】
また、遊技島３０の上部、詳しくは遊技機設置領域３２（遊技機１）よりも上方の位置には、遊技球を各遊技機１へ供給する遊技球供給装置３６を備え、遊技機設置領域３２よりも下方の位置には、各遊技機１の裏側から排出された遊技球を回収する遊技球回収装置３７を遊技店の床面から上方へ離した状態で備え、該遊技球回収装置３７の下方の側面部分を開放することにより、遊技者が遊技球回収装置３７の下方に足を伸ばして遊技席に座れるように構成されている。
【００２７】
さらに、遊技島３０の長手方向の一端には、遊技者が投入した遊技球を計数する計数機３８（所謂ジェットカウンター）を計数機載置台３８ａ上に載置して備え、該計数機３８よりも遊技島３０の長手方向の他端側の位置には、遊技球を遊技球供給装置へ揚送する揚送装置３９を、島本体の一部である島端化粧板を間に挟んで計数機３８に隣り合わせて配置し、揚送装置３９よりも遊技島３０の長手方向の他端側に遊技機設置領域３２が位置するように構成されている。言い換えると、計数機３８と遊技機設置領域３２との間に揚送装置３９を配置している。
【００２８】
遊技島３０の下部に設けられた遊技球回収装置は、遊技島３０の長手方向に沿って延在する球回収樋を備えている。そして、回収樋をそれぞれ遊技島３０の長手方向の他端側から一端側へ向けて下り傾斜させ、傾斜上端を補給球抜流路の下端の下方に配置するとともに、傾斜下端を揚送装置３９の下部の側方（図４中、右側方）に配置している。さらに、球回収樋の上方で各機枠３の裏側下部（幕板３５の後方）には、各遊技機１の裏側から排出された遊技球を計数し球回収樋へ案内するアウトタンク４０を配置している。
【００２９】
なお、本実施例において前面枠２は遊技島３０に設けられた機枠３に取り付けられる構成としたが、前面枠２を取り付ける前面枠用ヒンジ３４を遊技島３０に形成した開口部に備え、機枠３を設けない構成としてもよい。
【００３０】
次に、図５から図７を参照して、回動可能に取り付けられる下装飾部材５０について説明する。
【００３１】
機枠３に着脱可能な遊技機１の前面枠本体４の前面には、ガラス枠５が開閉可能に取り付けられており、該ガラス枠５が閉状態において上下に並んで前面枠本体４の前面を覆うように、固定パネル２０が前面枠本体４の下部に取り付けられている。固定パネル２０の前方には下スピーカー１４、下皿１６ａ、操作部２１等が配置され、下方には下装飾部材５０が回動可能に取り付けられている。
【００３２】
下装飾部材５０は、固定パネル２０の右側面２０１および左側面２０２の下端部からそれぞれ内側に向かって突出した回動軸２０３ａ，２０３ｂが、下装飾部材５０の右側面５０１および左側面５０２の上端部に形成された回動軸穴５０３ａ，５０３ｂに嵌合することにより、固定パネル２０の下方にて回動可能に軸着している。下装飾部材５０は弾性を有する樹脂等により形成されており、下装飾部材５０を左右方向から撓ませて取り付けられる。
【００３３】
下装飾部材５０は、固定パネル２０の下端から下装飾部材５０が下方に延出した装飾位置と、固定パネル２０の下端から下装飾部材５０が略直角方向に延出した自立補助位置の間を回動可能となる。つまり、下装飾部材５０の装飾位置とは、回動軸穴５０３ａ，５０３ｂが形成されている軸着部と、軸着部とは反対側の端部とが上下方向に位置した状態であり、自立補助位置とは、軸着部と端部とが前後方向に位置している状態を指している。
【００３４】
下装飾部材５０が装飾位置にある場合、下装飾部材５０は遊技機１の前面下部を装飾する装飾部として機能することとなる。また、本実施例における下装飾部材５０は機枠３の下部に設けられた幕板３５の前面を覆う位置にあり、遊技機１の幕板飾りとしても機能している。また、機枠３の下部に幕板３５を設けず、装飾位置における下装飾部材５０が幕板の機能も兼ねるようにしてもよい。
【００３５】
固定パネル２０の前面に形成される下皿ユニット１６の底面（球皿底面１６ｂ）は、突起物の無い平面に形成され、固定パネル２０の下端と略面一になる位置に設けられている。また、下装飾部材５０が自立補助位置にある場合には、下装飾部材５０の接地面と下皿ユニット１６の球皿底面１６ｂとが略面一に位置している。（図７参照）
【００３６】
本実施形態における下装飾部材５０の接地面は、自立補助位置にある場合には接地面となる一方、装飾位置にある場合には遊技者側に面し、遊技機１の前面下部を装飾する装飾面を兼ねている。そのため、自立補助位置にある際に装飾が地面にこすれて汚れたり損傷したりしないように、接地面には装飾が施されている装飾部５０４よりも突出した接地部５０５（図６参照）が形成されている。下装飾部材５０が自立補助位置にある場合には、接地面（装飾面）において最も突出している接地部５０５が球皿底面１６ｂと略面一となって床に接し、装飾部を保護するようになっている。
【００３７】
次に、図８および図９を参照して、下装飾部材５０および固定パネル２０の軸着部について説明する。
【００３８】
固定パネル２０の下端部には、後方および下方に開口して切りかかれた回動空間部２１０が形成されており、回動空間部２１０を形成している空間右側壁２１１および空間左側壁２１２には、それぞれ回動空間部２１０に向かって内側に突出している突起状の回動軸２０３ａ，２０３ｂを、遊技機１の横方向と平行に設ける。空間右側壁２１１および空間左側壁２１２は、固定パネル２０の右側壁２０１および左側壁２０２の下部である。この突起状の回動軸２０３ａ，２０３ｂに、下装飾部材５０の両側面５０１，５０２の一端側に形成された回動軸穴５０３ａ，５０３ｂが嵌合して回動機構を構成し、下装飾部材５０が固定パネル２０に回動可能に取り付けられる。
【００３９】
回動空間部２１０の前方には空間前方壁２１３が、回動空間部の上方には回動上方壁２１４が形成されており、空間前方壁２１３の高さは、下装飾部材５０の板厚分の高さｈとほぼ同一に設けられている。つまり、空間前方壁２１３の下端から空間上方壁２１４までの高さ（回動空間部２１０の高さ）は、下装飾部材５０が自立補助位置にある場合に、下装飾部材５０をちょうど収納可能な高さとなっている。（図９（ｃ）参照）下装飾部材５０が装飾位置にある場合には、空間前方壁２１３によって下装飾部材５０の上端部分や軸着部は遊技者からは視認不可能となっている。
【００４０】
空間前方壁２１３および空間上方壁２１４に囲まれた回動空間部２１０に下装飾部材５０を設けたために、下装飾部材５０が装飾位置にある場合には、下装飾部材５０が空間前方壁２１３に衝突し（図８（ｃ）参照）、下装飾部材５０が自立補助位置にある場合には、下装飾部材５０が空間上方壁２１４に衝突するようになる（図９（ｃ）参照）。つまり、空間前方壁２１３および空間上方壁２１４が、下装飾部材５０の回動規制手段として機能する。
【００４１】
また、回動が規制された位置における下装飾部材５０の接地部５０５が下皿ユニットの球皿底面１６ｂと略面一状態となる位置となるように、下装飾部材５０を空間前方壁２１３や空間上方壁２１４と近接して設けた場合にも、下装飾部材５０の回動軸穴側の端部は、回動する際に干渉しないように角を落として曲面ｒ１（図９参照）に形成されている。
【００４２】
下装飾部材５０は、自立補助位置にある場合に下装飾部材５０が自重で装飾位置へ回動してしまうのを防止するための固定手段を備えている。固定手段である固定部材３００ａ、３００ａは、空間上方壁２１３と、自立補助位置にある場合に空間上方壁２１３に接する下装飾部材５０の側面にそれぞれ設けられており、付勢手段として磁力等が用いられている。
【００４３】
固定部材３００ａ、３００ａのおかげで、前面枠２が機枠３から外されて遊技店の床等に置かれている際に、場所を移動させようと一旦持ち上げても、毎回下装飾部材５０が自重で装飾位置へ回動してしまうことがなくなり、扱いやすくなる。また、固定部材３００ａ、３００ａは下装飾部材５０が自重で回動しない程度の強度で固定しているために、装飾位置へ戻す際には磁石の付勢を解除する程度の軽い力で戻すことができる。
【００４４】
固定部材３００ａ、３００ａの解除手段として、前面枠２を閉じる際に下装飾部材５０が自立補助位置にある場合には、下装飾部材５０を押し下げるような突起部３５１を機枠３の幕板３５の上部に設けてもよい。図１０にあるように、突起部３５１の衝突面は曲面ｒ３（図１０参照）に形成されており、下装飾部材５０が自立補助位置にある状態で前面枠２を閉じようとすると、下装飾部材５０の端部に曲面ｒ２で形成された衝突受面に衝突して、固定手段３００ａ、３００ａの解除方向へ下装飾部材５０を付勢する。固定部材３００ａ、３００ａの磁力が効かなくなる程度に固定部材３００ａ、３００ａを離間させた後は、下装飾部材５０は自重により装飾位置まで回動する。前述のように、回動軸側の端部も曲面に形成されているので、前面枠２が閉じられた状態において突起部３５１は下装飾部材５０の端部に形成された曲面ｒ１の丸みの隙間に収まる。
【００４５】
以上の実施形態によれば、下装飾部材５０が前面枠２の下方に設けられ、前面枠２を機枠３から取りはずして床等に置く際には、下装飾部材５０が回動して遊技機１の自立を補助するスタンドの役割を果たすため、別途スタンドを用意しなくても前面枠２の自立が可能である。
【００４６】
また、ガラス枠５および固定パネル２０の前面には、各遊技機メーカーが特徴を持って施した装飾が施されており、それに合わせて下装飾部材５０の表面（装飾面）にも同様に装飾が施されている。遊技機１の表面は各遊技機１ごとに統一感を持って形成されているが、本実施形態において下装飾部材５０は前面枠２に設けられているので、遊技機１の交換の際に自動的に下装飾部材５０も交換可能となり、個別に下装飾部材５０のみ付け替える必要がない。
【００４７】
また、機枠３へ前面枠２が取り付けられた状態においては、下装飾部材５０の背面には機枠３の幕板３５が位置しているので、遊技者が前方から下装飾部材５０を押したとしても、下装飾部材５０が回動してしまうことはない。また、遊技中は下装飾部材５０の前方には球箱２５が置かれているが、球詰まり等により店員が前面枠２を開ける場合には、球箱２５に下装飾部材５０が押されて回動可能となるので、球箱２５を退かさずに前面枠２を開けることができる。
【００４８】
（第２の実施形態）
以下、図１１および図１２を参照して、本発明の第２の実施形態について説明する。なお、以下に示す各実施形態では前述した実施形態と同様の構成には同一の符号を付し、重複する説明は適宜省略する。
【００４９】
第２の実施形態では、下装飾部材５０の形状および固定パネル２０下端に切り欠かれた回動空間部の形状が、上述の第１の実施形態におけるものと相違する。
【００５０】
第２の実施における下装飾部材５０は、装飾位置において機枠３の幕板３５の前面に位置して遊技機１の前面を装飾する横長の装飾部５１１と、装飾位置における上辺５１１ａ（下装飾部材において、軸着部が形成されている側の端部）から外側（装飾位置における固定パネル方向）に向かって延出した延出部５１２とを備え、固定パネル２０の前面には下装飾部材５０が装飾位置にある場合に延出部５１２を収納する延出空間部２２０が形成されている。延出部５１２は、装飾部５１１の長さ（装飾位置における上下方向の高さ）と同程度の長さに形成されている。また、本実施例においては下装飾部材５０の左右両端の２箇所に延出部５１２を設けているが、延出部５１２は１箇所のみとしてもよいし、２箇所より多く設けてもよい。
【００５１】
第２の実施形態においては、前述の実施形態と同様に、回動位置によって下装飾部材５０の装飾面が接地面も兼ねており、下装飾部材５０が自立補助位置にある場合には、下装飾部材５０の接地部５０５および延出部５１２と、下皿ユニット１６の球皿底面１６ｂとが略面一となって床に接し、装飾面を保護しながら遊技機１が自立可能に補助する。（図１２（ｄ）参照）また、接地部５０５のように、延出部５１２における接地部分として、他より突出させた箇所を設けてもよい。
【００５２】
固定パネル２０の下端部の一部には、前方に開口して切り欠かれた延出空間部２２０が形成されており、下装飾部材５０が装飾位置にある際には、延出空間部２２０に延出部５１２が収納される。延出空間部２２０が形成されている部分は、固定パネル２０の後方および下方に開口して切り欠かれた回動空間部２１０と連結して、断面Ｌ字状の空間部（図１１（ｃ）参照）となっている。延出部５１２に対応しない位置の空間部の形状は、前述の第１実施形態の回動空間部２１０と同様である。
【００５３】
空間部を形成している空間右側壁２１１および空間左側壁２１２には、それぞれ内側に向かって突出している突起状の回動軸２０３ａ，２０３ｂがある。この突起状の回動軸２０３ａ，２０３ｂに、下装飾部材５０の左右延出部それぞれの外側の側面の装飾部側寄りに形成された回動軸穴５０３ａ，５０３ｂが嵌合し、下装飾部材５０が固定パネル２０に回動可能に取り付けられる。
【００５４】
延出空間部２２０は、前方および下方が開口し、左右側方は延出空間右側壁２２１および延出空間左側壁２２２に、後方は延出空間後方壁２２３に、上方は延出空間上方壁２２４により囲まれて形成されている。空間部の大きさは、延出空間右側壁２２１および延出空間左側壁２２２に挟まれた延出空間部２２０の幅は下装飾部材５０の延出部５１２の幅と、また、固定パネル２０の前面位置から延出空間後方壁２２３までの奥行きは下装飾部材５０の延出部５１２の板厚分と、また、回動軸２０３ａ，２０３ｂから延出空間上方壁２２４までの長さは下装飾部材５０の回動軸穴５０３ａ，５０３ｂから延出部５１２の先端までの長さと、それぞれほぼ同一となっている。つまり、延出空間部２２０の大きさは、延出部５１２とほぼ同一の大きさであり、下装飾部材５０が装飾位置にある場合に延出部５１２がちょうど嵌るようになっている。
【００５５】
下装飾部材５０が装飾位置にある場合には、延出部５１２が延出空間後方壁２２３に衝突し（図１１（ｃ）参照）、下装飾部材５０が自立補助位置にある場合には、第１の実施形態と同様に下装飾部材５０が空間上方壁２２４に衝突するようになる（図１２（ｂ）、（ｃ）参照）。つまり、延出空間後方壁２２３および空間上方壁２２４が、本第２の実施形態における下装飾部材５０の回動規制手段として機能する。
【００５６】
また、装飾位置における延出部５１２の上端と延出空間上方壁２２４との間に隙間が極力生じないよう形成され、かつ回動が規制された位置における下装飾部材５０の接地面が下皿ユニット１６との面一状態となる位置となるように、下装飾部材５０を延出空間上方壁２２４や空間上方壁２１４と近接して設けた場合にも、回動する際に延出部５１２の先端および下装飾部材５０の回動軸穴側の端部が干渉しないように、角を落として丸みを帯びた曲面に形成されている。
【００５７】
以上の実施形態によれば、下装飾部材５０が自立補助位置にある場合には、下装飾部材５０の接地部５０５および下皿ユニット１６の球皿底面１６ｂに加え、延出部５１４も略面一となって床に接するため床への接地面積が大きくなり、前面枠２を機枠３から取りはずして床等に置く際に、より安定して遊技機１を自立させることが可能である。
【００５８】
また、延出空間部２２０は延出部５１４がちょうど嵌る大きさに形成され、下装飾部材５０が装飾位置にある場合には固定パネル２０と表面が略面一になるように収納可能となるため、固定パネル２０および下装飾部材５０の前面に施された装飾に連続性が生じ、遊技者に違和感を覚えさせることがなくなるとともに、隙間からの異物を進入させる不正行為を防ぐことができる。
【００５９】
（第３の実施形態）
以下、図１３および図１４を参照して、本発明の第２の実施形態について説明する。なお、以下に示す各実施形態では前述した実施形態と同様の構成には同一の符号を付し、重複する説明は適宜省略する。
【００６０】
第３の実施形態では、下装飾部材５０の形状および固定パネル２０下端に切り欠かれた空間部の形状が、上述の第１の実施形態および第２の実施形態におけるものと相違する。
【００６１】
第３の実施における下装飾部材５０は、２枚の回動パネル５２０（前回動パネル５２０ａ、後回動パネル５２０ｂ）によりなり、装飾位置においては２枚の回動パネル５２０が前後で重なって機枠３の幕板３５の前方に位置しており、自立補助位置においては、前回動パネル５２０は軸着部よりも端部が前方に、後回動パネルは軸着部よりも端部が後方にくる位置まで回動し、それぞれの底面が面一になるように構成されている。
【００６２】
第１および第２の実施形態では、装飾面と接地面を下装飾部材５０の同じ面で兼用していたが、本第３の実施形態においては、前回動パネル５２０ａの前面が装飾面となって幕板３５の前面を装飾し、また、前回動パネル５２０ａの後面および後回動パネル５２０ｂの前面が接地面となって前面枠２の自立を安定させるスタンドの役割を果たしている。
【００６３】
固定パネル２０の下端部には、前方、後方および下方に開口して切りかかれた回動空間部２１０が形成されており、回動空間部２１０を形成している空間右側壁２１１および空間左側壁２１２には、それぞれ回動空間部２１０に向かって内側に突出している突起状の第１回動軸２０４ａおよび第２回動軸２０４ｂが前後に並んで設けられている。第１回動軸２０４ａには前回動パネル５２０ａに形成された回動軸穴５０３ａが、第２回動軸２０４ｂには後回動パネル５２０ｂに形成された回動軸穴５０３ａがそれぞれ嵌合し、下装飾部材５０（前回動パネルおよび後回動パネル）が固定パネル２０に回動可能に取り付けられる。
【００６４】
下装飾部材５０が装飾位置にある場合は、前回動パネル５２０ａと後回動パネル５２０ｂの接地面同士が内側に向き合って接触しており、両接触面に設けられた固定部材３００ｃ，３００ｃ（図１３（ｂ）参照）によって２枚の回動パネル５２０がバラバラに動いてしまわないように固定されている。
【００６５】
また、下装飾部材５０が自立補助位置にある場合には、前回動パネル５２０ａおよび後回動パネル５２０ｂが空間上方壁２１４に衝突してそれ以上の回動がそれぞれ規制され、空間上方壁２１４が下装飾部材５０の回動規制手段として機能する。そして、後回動パネル５２０ｂを保持する固定部材３００ｄ，３００ｄと、前回動パネル５２０ａを保持する固定部材３００ｅ，３００ｅ（図１４（ｂ）参照）によって自立保持状態が維持される。固定部材３００ｄ，３００ｄは、固定パネル２０に形成された空間上方壁２１３と、空間上方壁２１３に接する後回動パネル５２０ｂの側面にそれぞれ設けられ、固定部材３００ｅ，３００ｅは、球皿底面１６ｂと、球皿底面１６ｂに接する前回動パネル５２０ａの側面にそれぞれ設けられている。本第３の実施例においては、下皿ユニット１６の球皿底面１６ｂは前回動パネル５２０ａの上面と接する位置にあり、自立補助位置において球皿底面１６ｂは床に接触しないように構成されている。（図１４（ｂ）参照）
【００６６】
装飾位置において、前回動パネル５２０ａの上端と空間上方壁２１４との間に隙間が極力生じないようにしつつも、下装飾部材５０が空間上方壁２１４と近接して設けても回動する際に干渉しないようにするために、前回動パネル５２０ａの装飾面を除く回動軸穴側の端部は角を落として曲面に形成され、前回動パネル５２０ａの上方に位置する空間上方壁２１４には窪み部２１５を設けている。
【００６７】
以上の実施形態によれば、下装飾部材５０が装飾位置にある場合の装飾面とは異なる面が自立補助位置にある場合の接地面となるので、前面枠２を自立させておく際に装飾面が床に接することがなくなり、装飾が汚れたり破損したりする虞が少なくなる。また、下装飾部材５０を構成している前後の回動パネル２枚分の面積が略面一となって床に接するため、自立時の床への接地面積が大きくなり、遊技機１をより安定させて自立させることが可能である。
【００６８】
また、下装飾部材５０が自立補助位置にある場合には、前回動パネル５２０ａが下皿ユニット１６の下方に位置するので、下皿１６ａ底面が床に接することなく前面枠２を自立させることが可能となり、下皿ユニット１６の破損を防止することができる。
【００６９】
（第４の実施形態）
以下、図１５および図１６を参照して、本発明の第２の実施形態について説明する。なお、以下に示す各実施形態では前述した実施形態と同様の構成には同一の符号を付し、重複する説明は適宜省略する。
【００７０】
第４の実施形態では、前面枠２を自立させる際にスタンドの機能を奏する自立補助機構の構成が、前述の実施形態におけるものと相違する。
【００７１】
まず、図１５を参照して、第４の実施形態に係る自立補助機構について説明する。
本第４の実施形態における自立補助機構は、下装飾部材５０と後方延出片５３０とにより構成されている。第３の実施形態では装飾位置と自立補助位置とに変換可能であった後回動パネル５２０ｂが、本実施形態においては、常に後方へ延出している後方延出片５３０となっている。ここでの前回動パネル５２０ａは、前述のものとほぼ同じ形状で形成されている。
【００７２】
後方延出片５３０は固定パネル２０の下方かつ前回動パネル５２０ａの後方にあり、幅広の面を上下に有する板状の部材である。また、前面枠２の開放端側に設けられた右後方延出片５３０ａと、前面枠２の回動軸側に設けられた左後方延出片５３０ｂとにより構成され、それぞれの間にはアウトタンク４０を配置可能な程度の間隔を有して配置されている。また、後方延出片５３０の底面（接地面）は自立補助位置における前回動パネル５２０ａの接地面と略面一になるように設けられ、上面はそれぞれ外側に向けて傾斜した球転動面として形成されている。
【００７３】
つまり、本第４の実施形態における後方延出片５３０は、前面枠２を自立させる時には自立を補助するスタンドの機能を奏する一方、遊技機１が遊技島３０に設置されている時には、遊技機１背面の零れ球を受け止めて流下させる誘導部材として機能する。
【００７４】
後方延出片５３０は常に前面枠２の後方へ延出しているように固定しておいてもよいが、島と遊技機１背面の部材配置との関係等によって誘導部材が不要な場合には、後方延出片５３０を回動させて前面枠２の下端へ収納するようにしてもよい。
【００７５】
後方延出片５３０の回動機構として、後方延出片５３０ａ，５３０ｂが延出している状態において前方に面している前面と、遊技機１の外側に向いている外側面とにより形成される後方延出片５３０ａ，５３０ｂの角部周辺に水平回動軸穴５２３ａ，５２３ｂを遊技機１に対して縦方向に垂直に設け（図１６（ａ）参照）、また、前面枠２の下端から下方に向けて突出した水平回動軸２０５ａ，２０５ｂを、後方延出片の水平回動軸穴５２３ａ，５２３ｂに対応させて設けることにより、後方延出片５３０の底面と自立補助位置における前回動パネル５２０ａの接地面との面一状態を保ったまま水平回動するように構成されている。（図１６（ｂ）参照）
【００７６】
後方延出片５３０を収納状態とするには、前面と反対側に位置する後面が、前面よりも遊技機１の外側にくるように、左右の後方延出片５３０ａ，５３０ｂをそれぞれ略９０度回動させる。この際に、外側面５３１は前面パネル５２０ａに、後面５３２は固定パネル２０の左右空間側壁２１１，２１２にそれぞれ近接する位置となるように水平回動軸２０５ａ，２０５ｂが形成されている。後方延出片５３０を回動させる際に前回動パネル５２０ａや左右空間側壁２１１，２１２と干渉しないよう、水平回動軸穴５２３ａ，５２３ｂを設けた角部および外側面５３１と後面５３２とにより形成される角部は曲面に形成されている。
【００７７】
遊技機１の背面からアウトタンク４０側方に零れ球が落下してくる事態が発生した場合に、遊技機１背面の高い位置から球が零れた場合には、落下の勢いによって落下地点から球が飛び跳ねてアウトタンク４０に飛び込んでしまう虞があるのに対し、本実施形態のように後方延出片５３０を設けた場合には、落下してきた零れ球を後方延出片５３０によって一旦受け止めてから流下させることにより球の落下勢を緩和し、球の飛び跳ねを軽減することができる。よって、意図しない球がアウトタンク４０に進入して計数されてしまうのを防止できる。
【００７８】
また、後方延出片５３０の上面はアウトタンク４０と反対の外方向に向かって傾斜しているので、後方延出片上面の球転動面を転動している球がアウトタンク４０に向かって流下しないようになっているとともに、球転動面に勢いよく零れ球が落下してきたとしても、アウトタンク４０の方向には飛び跳ねにくくなっている。球転動面の外側への傾斜により、零れ球をアウト球として誤ってアウトタンク４０で計数してしまう虞をより防止でき、アウトタンク４０による正確なアウト球の計数が可能となる。
【００７９】
また、後方延出片５３０は水平回動機構を有するので、後方延出片５３０を使用しない場合には、遊技機１中央付近に設置される場合の多いアウトタンク４０への流入に影響を生じさせることがないようになるべく外側に収納させておく一方、後方延出片５３０を使用する場合には、アウトタンク４０の側部に後方延出片５３０を配置することが可能となる。
【００８０】
本実施形態のようにすることで、下装飾部材５０が前面枠２に設けられていない場合でも、球皿底面１６ｂと後方延出片５３０の底面とによって前面枠２の自立を補助することも可能である。ここでいう下装飾部材５０が前面枠２に設けられていない場合とは、下装飾部材５０が機枠３側に一体に取り付けられていたり、下装飾部材５０のみ別部材として別途交換可能としたりするような場合である。
【００８１】
（第５の実施形態）
以下、図１７および図１８を参照して、本発明の第５の実施形態について説明する。なお、以下に示す各実施形態では前述した実施形態と同様の構成には同一の符号を付し、重複する説明は適宜省略する。
【００８２】
第５の実施形態では、下装飾部材５０の回動機構が上述の実施形態における下装飾部材５０と相違する。
【００８３】
まず、図１７を参照して、第５の実施形態に係る下装飾部材５０について説明する。
本実施形態においては、前面枠２の固定パネル２０の下端から下方に向けて延出した第１前開閉パネル５４０ａおよび第２前開閉パネル５４０ｂと、第１および第２前開閉パネルの後方にそれぞれ設けられる第１後開閉パネル５４０ｃおよび第２後開閉パネル５４０ｄの、回動可能に設けられた計４枚の開閉パネルから構成されている。１つの開閉パネル５４０の横幅は前面枠２の横幅の略半分の幅となっており、２枚の開閉パネル５４０が左右に並んで配置されることで遊技機１の前面下部を全て覆うようになっている。
【００８４】
開閉パネル５４０は、左右に並んでいる２枚のパネルが遊技機１の略中央部分で接している方の側面が開閉パネル回動時の開放端となり、それとは反対の遊技機１の外方向に位置する端部に回動機構を設けてある。開閉軸２０６は前面枠２の下部に設けられている固定パネル２０の下面から遊技機１に対して下方へ垂直に突出しており、固定パネル２０の左右両側面付近で板厚方向に沿って前後に２つずつ並んで設けられている。この開閉軸２０６が嵌合する回動パネル側の開閉軸穴５４３は、それぞれの回動パネルの外側に端部に１つずつ設けられている。（図１７（ｂ）参照）
【００８５】
前開閉パネル５４０ａ，５４０ｂおよび後開閉パネル５４０ｃ，５４０ｄの間には固定パネル２０の下面から下方に延出して形成された中央壁５５０が設けられている。前述の開閉軸２０６は、固定パネル２０の板厚方向に前後２つずつ並んでいるが、これは前後２つの開閉軸（開閉軸２０６ａと２０６ｃの間、および開閉軸２０６ｂと２０６ｄ）の間に中央壁５５０を挟んで設けられている。
【００８６】
これにより、前開閉パネル５４０ａ，５４０ｂの後面と中央壁５５０の前面、および、後開閉パネル５４０ｃ，５４０ｄの前面と中央壁５５０の後面がそれぞれ接する位置が本実施形態における装飾位置となる。（図１７（ｃ）参照）また、回動機構によって前開閉パネル５４０ａ，５４０ｂの開放端が前方へ、後開閉パネル５４０ｃ，５４０ｄの開放端が後方へそれぞれ略９０度回動し、前開閉パネル５４０ａ，５４０ｂの開閉軸側の側面と中央壁５５０の前面、および、後開閉パネル５４０ｃ，５４０ｄの開閉軸側の側面と中央壁５５０の後面がそれぞれ接する位置が本実施形態における自立補助位置となる。（図１８（ｂ）参照）つまり、中央壁５５０は回動パネル５４０の位置規制部材として機能する。
【００８７】
第１および第２前開閉パネル５４０ａ，５４０ｂの前面には装飾が施されており、開閉パネルが装飾位置にある場合にはガラス枠５の表面の装飾と一体感のある装飾により、遊技機１の前面下部を装飾している。また、４枚の開閉パネル５４０および中央壁５５０の底面は平らに形成されるとともに開閉動作の前後ともに面一な状態を維持し、前面枠２が床等に置かれた際の接地面となる。
【００８８】
開閉パネル５４０の開放端は、２枚の開閉パネルの境目によって遊技機１表面の装飾の美観を損ねることが無いように、出来るだけ隙間を設けないように配置している。また、開閉パネルは長手方向の側面が中央壁５５０に接して装飾位置にある際に左右の開閉パネルの表面が平面となるように、開閉軸２０６は中央壁５５０に近接して設けられている。そのため、開閉パネル５４０を回動させる際に、左右の開閉パネルや中央壁５５０と干渉しないように、装飾位置における開閉パネル５４０の中央側の角は曲面に形成されている。
【００８９】
また、本実施形態においても、前述の実施形態と同様な固定手段（装飾位置において作用する３０１ｆ〜３０４ｆ、自立補助位置において作用する３０１ｇ〜３０４ｇ）を、装飾位置および自立補助位置において接する開閉パネルと中央壁５５０のそれぞれの部分に備えている。
【００９０】
以上の実施形態によれば、遊技盤６の背面に各種の制御基盤や装飾表示装置を備えた前面枠２を支えなくてはならない場合に、自立を補助するスタンドの大きさをより長く（接地面積をより大きく）設けることができるので、機枠３に収まっていない状態においても、より安定して前面枠２を自立させることができる。
【００９１】
本第５の実施形態では下装飾部材５０を前後左右２枚ずつの４枚の回動パネル５４０ａ〜ｄを組み合わせて形成したが、これに限らず、前後いずれかの開閉パネルのみ複数枚を組み合わせるようにしてもよいし、前後に２重ではなくもっと多数のパネルを前後に重ねるようにしてもよい。
【００９２】
ところで、上記各実施形態では、下装飾部材５０を回動可能に設け、一部材における回動位置によって遊技機１の装飾部材と自立補助部材とを兼用可能としたが、本発明はこれに限定されない。下装飾部材５０と自立補助部材とを別々に設けてもよいし、自立補助部材のみ設けてもよい。
【００９３】
また、上記各実施形態では、代表的な遊技機であるぱちんこ遊技機を例にして説明したが、本発明はこれに限らず、機枠に対して開閉可能な前面枠を備えた遊技機であればどのような遊技機でもよい。例えば、封入球式パチンコ機、アレンジボール式遊技機、雀球式遊技機等の遊技機であってもよい。
【００９４】
なお、前記した実施形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【符号の説明】
【００９５】
１          遊技機
２          前面枠
３          機枠
４          前面枠本体
５          ガラス枠
１６        下皿ユニット
１６ａ      球皿底面
２０        固定パネル
２０１      固定パネル右側面
２０２      固定パネル左側面
２０３      回動軸
２０４ａ    第１回動軸
２０４ｂ    第２回動軸
２０５      水平回動軸
２０６      開閉軸
２１０      回動空間部
２１１      空間右側壁
２１２      空間左側壁
２１３      空間前方壁
２１４      空間上方壁
２１５      窪み部
２２０      延出空間部
２２１      延出空間右側壁
２２２      延出空間左側壁
２２３      延出空間後方壁
２２４      延出空間上方壁
３００      固定部材
５０        下装飾部材
５０１      下装飾部材右側面
５０２      下装飾部材左側面
５０３      回動軸穴
５０４      装飾部
５０５      接地部
５１１      装飾部
５１２      延出部
５２０      回動パネル
５２０ａ    前回動パネル
５２０ｂ    後回動パネル
５３０      後方延出片
５３０ａ    右後方延出片
５３０ｂ    左後方延出片
５２３      水平回動軸穴
５４０ａ    第１前開閉パネル
５４０ｂ    第２前開閉パネル
５４０ｃ    第１後開閉パネル
５４０ｄ    第２後開閉パネル
５４３      開閉軸穴
５５０      中央壁
【図１】
0005844977.tif 000002
【図２】
0005844977.tif 000003
【図３】
0005844977.tif 000004
【図４】
0005844977.tif 000005
【図５】
0005844977.tif 000006
【図６】
0005844977.tif 000007
【図７】
0005844977.tif 000008
【図８】
0005844977.tif 000009
【図９】
0005844977.tif 000010
【図１０】
0005844977.tif 000011
【図１１】
0005844977.tif 000012
【図１２】
0005844977.tif 000013
【図１３】
0005844977.tif 000014
【図１４】
0005844977.tif 000015
【図１５】
0005844977.tif 000016
【図１６】
0005844977.tif 000017
【図１７】
0005844977.tif 000018
【図１８】
0005844977.tif 000019